(57)【要約】  本明細書に提供されるのは、ダクトチャネルを取り囲む管状底壁（１１）と、管状底壁（１１）のセクションに沿って形成された少なくとも１つのベローズ（１０）と、を含む、流体ダクト（２）である。ベローズ（１０）は、底壁（１１）から半径方向に突出したプロファイル部（１４）を有する複数の回旋部（１２）を含む。少なくとも１つの回旋部（１２）は、回旋部（１２）の第１端部（２２ａ）から第２端部（２２ｂ）までが１８０°〜７２０°の巻回角度Ωでダクトチャネルに巻回され、前記第２端部（２２ｂ）は第１端部（２２ａ）から、ダクトチャネルの中心線Ｃに平行な流れの方向Ｆに、非ゼロオフセット距離Ｄだけオフセットしている。
2021519400.tif 000002
【特許請求の範囲】
【請求項１】
ダクトチャネルを取り囲む管状底壁１１と、前記管状底壁１１のセクションに沿って形成された少なくとも１つのベローズ１０であって、前記管状底壁１１から半径方向に突出したプロファイル部１４を有する複数の回旋部１２を含むベローズ１０と、を含む、流体ダクト２であり、
前記複数の回旋部１２の少なくとも１つは、第１端部２２ａから第２端部２２ｂまでが１８０°〜７２０°の巻回角度Ωで前記ダクトチャネルに巻回され、前記巻回角度Ωの頂点は中心線Ｃにあり、前記第２端部２２ｂは前記第１端部から、前記ダクトチャネルの中心線Ｃに平行な流れの方向Ｆに、非ゼロオフセット距離Ｄだけオフセットしていることを特徴とする、
流体ダクト２。
【請求項２】
複数のベローズ１０を含み、少なくとも２つのベローズ１０が、少なくとも１つの非ベローズ管部６によって相互接続されている、請求項１に記載の流体ダクト２。
【請求項３】
前記流体ダクトは、１８０°〜３６０°の巻回角度Ωで前記管状セクション１１に巻回された回旋部１２を含む少なくとも１つのベローズ１０を含み、前記回旋部１２は対で配置され、前記対の前記回旋部１２が前記ダクトチャネルに反対の巻き方向で巻回されるように交互配置される、請求項１又は２に記載の流体ダクト。
【請求項４】
前記巻回角度Ωは、２００°〜３４０°の範囲内である、請求項１〜３のいずれか一項に記載の流体ダクト。
【請求項５】
前記回旋部１２の交互配置対を含む前記少なくとも１つのベローズ１０は、前記流体ダクト２の直線又は略直線セクション９にある、請求項３又は４のいずれか一項に記載の流体ダクト。
【請求項６】
少なくとも１つのベローズ１０は、３６０°〜７２０°、又は３８０°〜５６０°の巻回角度Ωで前記ダクトチャネルに巻回された複数の回旋部１２を含む、請求項１〜５のいずれか一項に記載の流体ダクト。
【請求項７】
前記ベローズ１０は、前記流体ダクト２の屈曲セクション８に設けられており、前記回旋部１２は、各回旋部１２の重なった端部部分２３ａ、２３ｂが前記屈曲セクション８の外半径上に設けられるように方向付けられている、請求項５又は６に記載の流体ダクト。
【請求項８】
前記少なくとも１つのベローズ１０の前記回旋部１２は、並置された状態で設けられている、請求項１〜７のいずれか一項に記載の流体ダクト。
【請求項９】
前記並置された回旋部１２の前記端部２２ａ、２２ｂは、前記ベローズの中心線Ｃに実質的に平行な仮想線に沿って実質的に整列されている、又は前記並置された回旋部１２は、前記ベローズ１０の中心線Ｃを中心に一方を他方に対して回転させた状態で配置されている、請求項８に記載の流体ダクト。
【請求項１０】
複数の回旋部１２はそれぞれ、軸方向幅Ｗ’及び／又は半径方向高さＨを有する少なくとも１つの狭くなったテーパ１６を備え、この軸方向幅Ｗ’及び／又は半径方向高さＨは、前記回旋部１２の狭くなっていない非テーパ部分のそれぞれ幅Ｗ及び／又は半径方向高さＨよりも小さい、請求項１〜９のいずれか一項に記載の流体ダクト。
【請求項１１】
前記狭くなったテーパ１６は、前記回旋部１２の斜めセクションに配置されている、又は前記狭くなったテーパ１６は、前記回旋部１２の前記端部２２ａ、２２ｂに隣接して設けられている、請求項１〜１０のいずれか一項に記載の流体ダクト。
【請求項１２】
前記狭くなったテーパセクション１６は、前記回旋部１２の前記端部２２ａと前記端部２２ｂとの間の中間に設けられている、請求項９〜１１のいずれか一項に記載の流体ダクト。
【請求項１３】
複数の前記回旋部１２の前記プロファイル部１４は凸状であり、前記管状底壁１１から半径方向外側に突出している、請求項１〜１２のいずれか一項に記載の流体ダクト。
【請求項１４】
自動車のエンジンコンパートメント内の流体ダクトとして使用するための、請求項１〜１３のいずれか一項に記載の流体ダクト。
【請求項１５】
前記流体ダクト２は、ブロー成形又は押出成形ポリマー構成要素である、請求項１〜１４のいずれか一項に記載の流体ダクト。
【発明の詳細な説明】
【技術分野】
【０００１】
本発明は、可撓性流体ダクトに関する。本発明は、特に、ポリマー材料で作製された又はポリマー材料を含む流体ダクトに関する。流体ダクトは、例えば、自動車用途で使用されてもよい。
【背景技術】
【０００２】
自動車用途で使用するための流体ダクトは、エアダクトとして空気を流すために、液体又は気体燃料及び他の物質を流すために使用され得る。ある用途では、ダクトは、２００°Ｃを超え得る温度に耐えるべきであり、管内の相対圧力は最大３バールになる可能性がある。
【０００３】
自動車用途の可撓性ブロー成形ポリマー管については、欧州特許第１２９５０６２号明細書に記載されている。可撓性管は、管にいくらかの曲げ可撓性を与えるためにベローズを含む。曲げ可撓性によって、熱負荷及び機械的負荷により管、及び管端部とモータ構成要素との結合部にかかる応力が軽減される。しかしながら、高い曲げ可撓性を提供するベローズは、管に流れの方向の可撓性も導入する。例えば、ターボチャージャーからのガス流用にエンジンコンパートメント内で使用されるダクトで見られるような高温高圧下では、可撓性管のベローズの伸びに関連する課題が増大する。これらの課題を克服するために、従来のベローズは、例えば、管を完全には取り囲まない回旋部を設けることによって又は管を流れの方向に補強する、流れの方向に延びるリブを成形することによって、流れの方向に実質的に剛性のセクションを備える。しかしながら、このような対策は、曲げ可撓性が最大となる平面のいずれかの側の方向の曲げ可撓性を低下させる。エンジンコンパートメント内に見られるダクトに作用する様々な熱的力及び機械的力のせいで、管の可撓性が最大可撓性の平面から逸脱して減少すると、破壊、脱離、又は永久ひずみにつながるおそれのある応力を可撓性管内又は結合端部に生じさせる可能性がある。更に、管剛化部分に起因する平面逸脱曲げ可撓性（ｏｕｔ−ｏｆ−ｐｌａｎｅ  ｂｅｎｄｉｎｇ  ｆｌｅｘｉｂｉｌｉｔｙ）の減少はまた、概して、全体的なダクトの剛性を増加させ、したがって、相補的な結合要素へのその組み付けをより困難にする。例えば、エンジンコンパートメントにおけるダクトの組み付け及び取り外しの容易さも別の重要な要素である。
【０００４】
コスト、設計、レイアウト、及び重量の理由から、流体ダクトは、典型的には、ブロー成形ポリマー材料で作製されている。このような場合には、可撓性管、特にベローズはまた、特に型穴からのブロー成形構成要素の簡単な離型を可能にするブロー成形型穴内で容易に成形されるように構成されていなければならない。このことは、ベローズ、特に回旋部及び剛化セクションの形状及び位置の特定の制約につながる。
【発明の概要】
【発明が解決しようとする課題】
【０００５】
上記に鑑み、本発明の目的は、コスト効果的に製造され、流れの方向における剛性と曲げ可撓性の高い複合因子（ｈｉｇｈ  ｃｏｍｂｉｎｅｄ  ｆａｃｔｏｒ）を有する流体ダクトを提供することである。
【０００６】
広範囲の角度における高い曲げ可撓性を有する流体ダクトを提供すると有利である。
【０００７】
ブロー成形ポリマー材料から作製され得る流体ダクトを提供すると有利である。
【０００８】
可変性の（ｖｅｒｓａｔｉｌｅ）形状を備えて作製することができ、コンパクト且つ頑丈な流体ダクトを提供すると有利である。
【０００９】
構成要素に取り付け中の組付力（ａｓｓｅｍｂｌｙ  ｆｏｒｃｅｓ）を減少させ、使用中の、結合端部上及びダクト内における応力を減少させる流体ダクトを提供すると有利である。
【００１０】
永久ひずみなく約２〜４バールの相対圧力及び最大２５０℃の温度に耐えることができる主にポリマー材料で作製された又はこれを含む流体ダクトを提供すると有利である。
【００１１】
頑丈且つ耐久性がありながらも組み付けが簡単なガスダクトを提供することが有利であろう。
【課題を解決するための手段】
【００１２】
本発明の１つ以上の目的は、請求項１に記載の流体ダクトを提供することにより達成される。
【００１３】
本明細書に開示されるのは、ダクトチャネルを取り囲む管状底壁と、管状底壁のセクションに沿って形成された少なくとも１つのベローズであって、底壁から半径方向に突出したプロファイル部を有する複数の回旋部を含む、ベローズと、を含む、流体ダクトである。前記複数の回旋部の１つ以上又は全てはそれぞれ、第１端部から第２端部までが１８０°〜７２０°でダクトチャネルに巻回され、前記第２端部は第１端部から、ダクトチャネルの中心線（Ｃ）に平行な流れの方向（Ｆ）に、非ゼロオフセット距離（Ｄ）だけオフセットしている。
【００１４】
有利な実施形態では、流体ダクトは、ベローズのない少なくとも１つの非ベローズ管部によって相互接続された少なくとも２つのベローズを有する複数のベローズを含む。
【００１５】
有利な実施形態では、流体ダクトは、１８０°〜３６０°の巻回角度（Ω）で管状セクションに巻回された回旋部を含む少なくとも１つのベローズを含み、前記回旋部は、対の回旋部がダクトチャネルに反対の巻き方向で巻回されるように交互配置された回旋部の対で配置されている。
【００１６】
一実施形態では、巻回角度（Ω）は、２００°〜３４０°の範囲内である。
【００１７】
有利な実施形態では、回旋部の交互配置対を含む前記少なくとも１つのベローズは、流体ダクトの直線又は略直線セクションにある。
【００１８】
有利な実施形態では、少なくとも１つのベローズは、３６０°〜７２０°の巻回角度でダクトチャネルに巻回された複数の回旋部を含む。
【００１９】
一実施形態では、巻回角度（Ω）は、３８０°〜５６０°の範囲内である。
【００２０】
一実施形態では、ベローズは、流体ダクトの屈曲セクションに設けられており、回旋部は、各回旋部の重なった端部部分が屈曲セクションの外半径上に設けられるように方向付けられている。
【００２１】
有利な実施形態では、前記少なくとも１つのベローズの前記回旋部は、並置された状態で配置されている。
【００２２】
一実施形態では、並置された回旋部の端部は、ベローズの中心線に実質的に平行な仮想線に沿って実質的に整列されている。
【００２３】
一実施形態では、並置された回旋部は、ベローズの中心線を中心に一方を他方に対して回転させた状態で配置されている。
【００２４】
有利な実施形態では、複数の回旋部はそれぞれ、回旋部の主要部分の長さ（ｍａｊｏｒ  ｌｅｎｇｔｈ）のそれぞれ幅（Ｗ）及び／又は半径方向高さ（Ｈ）よりも小さい軸方向幅（Ｗ’）及び／又は半径方向高さ（Ｈ’）を有する少なくとも１つの狭くなったテーパを備える。
【００２５】
有利な実施形態では、前記狭くなったテーパは、回旋部の斜めセクションに配置されている。
【００２６】
一実施形態では、狭くなったテーパは、回旋部の端部に隣接して設けられている。
【００２７】
一実施形態では、狭くなったテーパセクションは、回旋部の端部間の中間に設けられている。
【００２８】
有利な実施形態では、複数の前記回旋部のプロファイル部は凸状であり、管状底壁から半径方向外側に突出している。
【００２９】
本発明の一態様によれば、流体ダクトは、自動車のエンジンコンパートメント内の流体ダクトとして使用するためのものである。
【００３０】
有利な実施形態では、流体ダクトは、ブロー成形又は押出成形ポリマー構成要素である。
【００３１】
本発明を特徴付ける新規性の利点及び特徴は、本明細書に添付され、本明細書の一部を成す特許請求の範囲に詳細に記載されている。しかしながら、本発明、その利点、及びその使用により達成される目的をより適切に理解するために、本明細書の更なる部分を成す図面、及び本発明の１つ以上の好適な実施形態を示し、記載する添付の説明事項を参照されたい。
【００３２】
ここで、本発明を例として図示する添付の図面を参照しながら本発明を説明する。
【図面の簡単な説明】
【００３３】
【図１Ａ】本発明の一実施形態による流体ダクトの一例の斜視図である。
【図１Ｂ】本発明の一実施形態による流体ダクトの一例の斜視図である。
【図２Ａ】本発明の一実施形態による流体ダクトの別の例の斜視図である。
【図２Ｂ】本発明の一実施形態による流体ダクトの別の例の斜視図である。
【図３Ａ】本発明の一実施形態による流体ダクトのベローズの斜視図である。
【図３Ｂ】図３Ａの実施形態の側面図である。
【図３Ｃ】図３Ｂの矢印ＩＩＩＣの方向の図である。
【図３Ｄ】図３Ｃの矢印ＩＩＩＤの方向の図である。
【図３Ｅ】図３Ｃのベローズの回旋部の形状を示す。
【図３Ｆ】図３Ｄのベローズの回旋部の形状を示す。
【図４Ａ】本発明の一実施形態による流体ダクトのベローズの屈曲セクションの斜視図である。
【図４Ｂ】本発明の一実施形態による流体ダクトのベローズの屈曲セクションの斜視図である。
【図４Ｃ】図４Ａ及び図４Ｂの実施形態の平面図である。
【図４Ｄ】図４Ａ〜図４Ｃのベローズの回旋部の形状を示す。
【図５Ａ】図３Ａに類似する、本発明の別の実施形態を示す。
【図５Ｂ】図３Ｂに類似する、本発明の別の実施形態を示す。
【図５Ｃ】図３Ｃに類似する、本発明の別の実施形態を示す。
【図５Ｄ】図３Ｄに類似する、本発明の別の実施形態を示す。
【図６Ａ】図３Ａに類似する、本発明の更に別の実施形態を示す。
【図６Ｂ】図３Ｂに類似する、本発明の更に別の実施形態を示す。
【図６Ｃ】図３Ｃに類似する、本発明の更に別の実施形態を示す。
【図６Ｄ】図３Ｄに類似する、本発明の更に別の実施形態を示す。
【図７Ａ】図４Ａに類似する、本発明の更に別の実施形態を示す。
【図７Ｂ】図４Ｂに類似する、本発明の更に別の実施形態を示す。
【図７Ｃ】図４Ｃに類似する、本発明の更に別の実施形態を示す。
【図７Ｄ】図４Ｄに類似する、本発明の更に別の実施形態を示す。
【発明を実施するための形態】
【００３４】
ここで、図の全体を通して同様の参照番号が対応する構造体を示す図面を参照すると、及び特に、図１Ａを参照すると、本発明の実施形態による流体ダクト２は、他の構成要素、例えば自動車の内燃機関内のターボチャージャーのガスフローシステムなどの、例えばガスフローシステムの入口及び出口に結合するための接続端部４ａ、４ｂを含む。しかしながら、この流体ダクトは、自動車用途及び非自動車用途の他の流体に使用してもよい。流体ダクトは、直線セクション６及び／又は屈曲セクション８を含んでもよい。図１ａ〜図２ｂの流体ダクトの形状は、単なる例示のためであり、流体ダクトは、様々な形状、長さ、直径、屈曲セクション及び直線セクションの数を有してもよく、更に、用途に応じて、機能的又は構造的構成要素を組み込んでもよいと理解される。
【００３５】
流体ダクト２は、その中に、流体の流れを案内するためのダクトチャネルを画定し、少なくとも１つのベローズ１０、又は非ベロー部９によって相互接続された複数のベローズ１０を含む。非ベローズ部は、例えば、略円筒形管状部を含んでもよい。ベローズ１０は、例えば、図２Ａ、図２Ｂ、図４Ａ〜図４Ｄ、及び図７Ａ〜図７Ａに示されるような屈曲ベローズ１０”、又は例えば、図２Ａ、図２Ｂ、図３Ａ〜図３Ｄ、図５Ａ〜図５Ｄ、及び図６Ａ〜図６Ｄに示されるような直線ベローズ１０’を含んでもよい。
【００３６】
本発明の実施形態によるベローズ１０は、流体ダクトの管状底壁１１上に形成された複数の回旋部１２を含む。回旋部１２及び管状底壁１１は、ダクトチャネルに巻回されている。管状底壁１１は、図示実施形態に示されるように、円筒形又は実質的に円筒形であってもよいが、別の実施形態では、管状底壁１１は、長円形（例えば楕円形）、多角形、又は不規則形状などであるがこれらに限定されない非円筒形形状を有してもよい。
【００３７】
図示される実施形態においては、回旋部１２は、回旋部１２の巻回方向に直交する断面に見られるように、凸状であり且つ湾曲した又は丸みを帯びたプロファイル部１４を含み、例えば、管状底壁１１から半径方向外側に直立した略円筒形凸状プロファイル部１４を含む。
【００３８】
しかしながら、本発明の範囲内において、ベローズ１０の回旋部１２は、管状底壁１１から半径方向内側に突出した凹状のプロファイル部１４を有してもよいことに留意されたい。流体ダクト２の複数のベローズのうちの同じベローズ１０又は異なるベローズ内のいずれかに、凸状及び凹状の両方の回旋部１２を有するベローズ１０を設けることも可能である。
【００３９】
更に、本発明の範囲内において、回旋部のプロファイル部１４は、例えば、楕円形、三角形、放物線形であるがこれらに限定されない円筒形以外の形状及び他の様々なプロファイル部を有してもよい。
【００４０】
更に、本発明の範囲内において、ベローズ１０の回旋部１２、又は流体ダクト２の異なるベローズ１０の回旋部１２は、本質的に同一の又は異なるプロファイル部１４を有してもよい。
【００４１】
図１Ａ〜図２Ｂに示される実施形態の流体ダクト２は、接続端部４ａ、４ｂ以外は本質的に一定の管状底壁直径を有する流体ダクトとして示されるが、本発明の範囲内において、管状底壁１１はまた、流体ダクト２に沿って変化する直径を有してもよく、また、「Ｙ」字形の流体ダクトセクションに見られるような、互いに結合する追加的なセクションを含んでもよい。
【００４２】
外部構成要素への接続端部４ａ〜４ｂの簡単な組立及び結合を可能にするためには全体的な流体ダクト２の可撓性が重要となり得る。自動車用途では、流体ダクト２は、構成要素間の間隔が非常にコンパクトなエンジンコンパートメント内に配置されることが多く、流体ダクト２の組立及び分解のためのアクセスが困難である。ダクトの中心線Ｃを中心とした広範囲の回転角度における流体ダクト２の全体的な可撓性が重要である。例えば図１Ａ、図１Ｂ、及び図２Ａ、図２Ｂの実施形態に示されるような複数のベローズ１０を備える流体ダクト２においては、複数のベローズ１０のそれぞれが結合端部４ａ、４ｂ間の流体ダクト２の全体的な曲げ可撓性に寄与する。ベローズ１０のそれぞれが中心線Ｃを中心とした異なる回転角度に大きな曲げ可撓性を有する場合、流体ダクト２の全体的な可撓性も向上する。
【００４３】
本発明によれば、ベローズ１０の回旋部１２は、互いに接続されていない第１端部２２ａから第２端部２２ｂまで延びるという意味で不連続的であり、これにより、回旋部１２は、ダクトチャネルに１８０°〜７２０°の角度Ωで巻回される略螺旋形状を有し、第１端部２２ａと第２端部２２ｂは、流れの方向Ｆに非ゼロの軸方向オフセットＤだけオフセットしている。例えば、図３Ｃを参照。本明細書に定義される巻回角度Ωは、その角度の平面投影として測定される。
【００４４】
複数の回旋部１２それぞれの略螺旋形状及び１８０°〜７２０°の巻回角度Ωは、有利には、中心線Ｃを中心とした広範囲の角度における大きな曲げ可撓性を提供するが、連続した隣接する回旋部１２間の管底壁１１の連続的な経路のおかげで、（中心線Ｃに平行な）流れの方向Ｆにおける伸びに対する高い剛性を確保する。各回旋部１２は不連続なため、流れの方向Ｆにおける回旋部１２の伸びは、相互接合する管状底壁部１１によって制限される。
【００４５】
図３Ａ〜図３Ｆ、図５Ａ〜図５Ｄ、及び図６Ａ〜図６Ｄに示されるようなある実施形態では、各回旋部１２は、１８０°超且つ３６０°未満、好ましくは２００°〜３４０°の範囲内の角度Ωでダクトチャネルに巻回される。回旋部は、交互配置対１２’、１２”で配置され、それにより、対の隣接する回旋部は、図３Ｅ及び図３Ｆに最も良く示されるとおり、２つの回旋部１２’、１２”が交互配置されるように、反対の角度を有する（すなわち、反対方向に巻く）略螺旋形状を有する。
【００４６】
図４Ａ〜図４Ｄ及び図７Ａ〜図７Ｄに示されるベローズ１０の実施形態では、回旋部１２は、端部部分２３ａ、２３ｂが管壁１１の周囲上で互いに重なるように、３６０°超且つ６００°未満の角度Ωでダクトチャネルに巻回されている。各回旋部１２は、好ましくは３８０°〜５６０°の範囲内の巻回角度Ωを有する。これらの図に示されるベローズ１０は、湾曲した流体ダクト２上に設けられて、屈曲部を形成しており、回旋部１２の重なったセクション２３ａ、２３ｂは、管底壁１１の外半径Ｒ上に設けられている。
【００４７】
３６０°未満の角度Ωでダクトチャネルに巻回された回旋部１２の交互配置対は、管の直線又は略直線セクションに特に良く適応し、その一方で、３６０°超の角度Ωで管に巻回された回旋部１２を有するベローズ１０は、流体ダクト２の屈曲セクションに良く適応する。しかし、両回旋部の変形形態は、屈曲セクション又は直線セクションに用いてもよく、中心線Ｃを中心とした広い回転角度における曲げ可撓性の向上及び中心線Ｃに実質的に平行な流れの方向Ｆの伸びに対する高い剛性という本発明による利点を提供する。
【００４８】
図３Ａ〜図３Ｄ、図４Ａ〜図４Ｄ、及び図５Ａ〜図５Ｄの実施形態において、並びに図３Ｃの詳細で示されるように、各回旋部１２のプロファイル部１４は、管底壁１１から実質的に一定の半径方向高さＨと実質的に一定の軸方向幅Ｗとを有する。軸方向オフセットＤを設けるために、回旋部１２は、１つ以上のＳ字形湾曲部２５を備えてもよい。回旋部１２の残りのセクションは、中心線Ｃに実質的に直交する平面内に延びてもよい、又はＳ字形屈曲部２５の曲率を低減若しくは排除するために、中心線Ｃに直交する平面に対してわずかな角度を成して傾斜してもよい。
【００４９】
ある変形形態では、Ｓ字形屈曲部２５は、例えば図６Ｃに示すように、狭いテーパしたセクション１６を備えてもよい。狭いテーパしたセクション１６は、回旋部１２の他の部分の軸方向幅Ｗよりも小さな軸方向幅Ｗ’、及び／又は例えば図６Ｄに示すように、回旋部１２の他の部分の半径方向高さＨよりも小さな半径方向高さＨ’を有する。これにより、流れの方向Ｆの伸びを阻止する又は低減するわずかにより高い剛性を提供し、また、回旋部１２の重なった端部部分２３ａ、２３ｂ間の軸方向オフセットＤの低減を可能にする。軸方向オフセットＤは、例えば、図４Ｄに示されるようなものである。したがって、この変形形態では、伸び剛性を大幅に低下させることなく曲げ可撓性を増加させるために、隣接する回旋部１２のよりコンパクトな配置を提供することができる。
【００５０】
ベローズセクション１０において、隣接する回旋部１２の端部２２ａ、２２ｂは、例えば、実施形態６Ａ〜６Ｃ及び実施形態３Ａ〜３Ｄに示されるように、中心線Ｃに平行な方向に互いに実質的に整列されてもよい。図５Ａ〜図５Ｄに示されるような変形形態では、回旋部１２は、ダクトチャネルに巻き付く（すなわち巻かれる）仮想線と端部２２ａ、２２ｂが整列するように、中心線Ｃを中心に互いに対して回転している。連続する回旋部１２の回転は、有利には、回旋部１２の重なった端部が管状底壁１１の外半径Ｒ上にとどまるように、流体ダクト２の曲げ角度可撓性（ｂｅｎｄｉｎｇ  ａｎｇｌｅ  ｆｌｅｘｉｂｉｌｉｔｙ）を変更するために及び／又はダクトの２次元若しくは３次元曲げ曲線をとるために使用することができる。
【００５１】
別の有利な実施形態では、流体ダクト２は、ポリマー、好ましくは熱可塑性ポリマー、例えば、ポリアミド、（脂肪族、半芳香族、ブレンド）、ポリエステル（例えば、ポリブチレンテレフタレート、ポリエチレンテレフタレート、コポリエステル、コポリエーテルエステル、ブレンド）、ポリアセタール、ポリオレフィン（例えば、ポリプロピレン、ポリエチレン）、熱可塑性加硫物、並びにこれらのいずれかの混合物及びブレンドで作られている。エチレンプロピレンジエンエラストマー（ＥＰＤＭ）及びアクリレートゴムなどのゴムも使用してよい。エアダクトは、例えば、ブロー成形若しくは他の成形、射出成形、又は押出成形（例えば、コルゲート押出成形）を含むがこれらに限定されない任意の適切な製造方法で形成してもよい。流体ダクト２は、均質材料で作製されてもよい、又は例えば繊維強化ポリマーを含む複合材料で作製されてもよい。流体ダクト２は、ポリマー層と共押出された金属層及び／又は織物強化層及び／又はバリア層などの多層共押出複合体（ｍｕｌｔｉ−ｌａｙｅｒ  ｃｏｅｘｔｒｕｄｅｄ  ｃｏｍｂｉｎａｔｉｏｎ）を使用して作製されてもよい。
【００５２】
流体ダクト２は、空気、排気、及び燃料／空気分散体などの気体用の導管として使用されてもよい。流体ダクト２はまた、冷却剤、燃料、トランスミッション液、及びブレーキ液などの液体用に使用されてもよい。
【００５３】
本発明の好ましい実施形態のいくつかを上記に説明し、具体的に例示してきたが、本発明をこのような実施形態に限定することは意図していない。むしろ、本発明の多くの特徴及び利点を本発明の構造及び機能の詳細と共に前述の説明において述べてきたが、本開示は例示的なものに過ぎず、また、添付の特許請求の範囲を表現する用語の広範な一般的意味により示される最大限まで、本発明の原理の範囲内で、細部、特に部品の形状、大きさ及び配置に関して変更を施すことができることは理解されるべきである。
【符号の説明】
【００５４】
エアフローシステム（例えば自動車の）
流体ダクト  ２
（ガスダクト）
接続端部  ４ａ、４ｂ
直線セクション  ６
屈曲セクション  ８
非ベローズ管部  ９
ベローズ  １０
屈曲ベローズ  １０’
直線ベローズ  １０”
管状底壁  １１
回旋部（不連続）  １２
交互配置された回旋部対  １２’、１２”
プロファイル部  １４
凸状プロファイル部
湾曲プロファイル部
円筒形プロファイル部
狭くなったテーパ  １６
端部  ２２ａ、２２ｂ
軸方向オフセット  Ｄ
端部部分  ２３ａ、２３ｂ
回旋部プロファイル部軸方向幅  Ｗ
回旋部プロファイル部半径方向高さ  Ｈ
狭いセクション軸方向幅  Ｗ’、半径方向高さ  Ｈ’
回旋部巻回角度  Ω
中心線  Ｃ
流れの方向  Ｆ（軸方向）
【図１Ａ】
2021519400.tif 000003
【図１Ｂ】
2021519400.tif 000004
【図２Ａ】
2021519400.tif 000005
【図２Ｂ】
2021519400.tif 000006
【図３Ａ】
2021519400.tif 000007
【図３Ｂ】
2021519400.tif 000008
【図３Ｃ】
2021519400.tif 000009
【図３Ｄ】
2021519400.tif 000010
【図３Ｅ】
2021519400.tif 000011
【図３Ｆ】
2021519400.tif 000012
【図４Ａ】
2021519400.tif 000013
【図４Ｂ】
2021519400.tif 000014
【図４Ｃ】
2021519400.tif 000015
【図４Ｄ】
2021519400.tif 000016
【図５Ａ】
2021519400.tif 000017
【図５Ｂ】
2021519400.tif 000018
【図５Ｃ】
2021519400.tif 000019
【図５Ｄ】
2021519400.tif 000020
【図６Ａ】
2021519400.tif 000021
【図６Ｂ】
2021519400.tif 000022
【図６Ｃ】
2021519400.tif 000023
【図６Ｄ】
2021519400.tif 000024
【図７Ａ】
2021519400.tif 000025
【図７Ｂ】
2021519400.tif 000026
【図７Ｃ】
2021519400.tif 000027
【図７Ｄ】
2021519400.tif 000028
【国際調査報告】
2021519400.tif 000029
2021519400.tif 000030
2021519400.tif 000031